(57)【要約】【課題】  部外者がサムターンの近傍を穿孔して不正解錠するのを未然に防止できるようにして、錠付きドアの防犯性をよりいっそう向上する。【解決手段】  本発明の防犯プレート１は、穿孔工具で貫通不能又は困難なプレート材料で構成されており、かつ、ドア３におけるサムターン７の近傍部分に貼り付け又は埋め込み可能な大きさに形成されていることを特徴とする。【選択図】  図１
2005042521.tif 000002
【特許請求の範囲】
【請求項１】
穿孔工具で貫通不能又は困難なプレート材料で構成されており、かつ、ドアにおけるサムターンの近傍部分に貼り付け又は埋め込み可能な大きさに形成されていることを特徴とする防犯プレート
【請求項２】
サムターンの外周側の全部又は一部を取り囲むことができる大きさの収納凹部が形成されている請求項１に記載の防犯プレート。
【請求項３】
室外側に露出する鍵穴を有するシリンダ錠が室外側に装着され、このシリンダ錠と同軸心状に連結されたサムターンが室内側に装着されている錠付きドアにおいて、
請求項１又は２に記載の防犯プレートが前記サムターンの近傍部分に貼り付け又は埋め込まれていることを特徴とする錠付きドア。
【請求項４】
ドアの表面から突出するサムターンのシリンダカラーよりも小径の嵌合凹部を有する取付板部と、前記ドアから離れる方向に突出するように前記取付板部に一体に突設されたカバー部とを有するサムターンカバーと、
このサムターンカバーの外周部分に沿って連結可能な連結縁部を有する請求項１又は２に記載の防犯プレートと、
を備えていることを特徴とする防犯器具。
【発明の詳細な説明】
【発明の詳細な説明】
【技術分野】
【０００１】  本発明は、施錠装置のサムターンが部外者によって不正に解錠されるのを防止するための、防犯プレートとこれを有する錠付きドア及び防犯器具に関するものである。
【背景技術】
【０００２】  従来より普及しているサムターン付きのシリンダ錠は、室外側に露出する鍵穴を有するシリンダ錠がドアの室外側に装着され、このシリンダ錠と同軸心状に連結されたサムターンがドアの室内側に装着されたものである。かかるシリンダ錠においては、室外側のシリンダ錠の鍵穴に合い鍵を挿入して回動操作すると、デッドボルトがドアの自由端面から出没してドア枠側のボルト受けと係脱し、これによってドアの施錠と解錠を繰り返し行えるようになっている。【０００３】  他方、室内側からの施解錠に際しては、合い鍵等の使用は不要であり、単にサムターンの摘みを回動操作するだけでよく、操作が非常に簡便であるという利点があることから、サムターン付きのシリンダ錠は一般に広く使用されている。
しかし、最近の玄関ドアでは、その全面或いは一部にガラス板を嵌め込んだ構造のものがあり、このようなドアでは、外部の侵入者がガラス板だけを破壊して手が入る程度の開口を形成し、この開口から挿入した手指で室内側のサムターンを操作して不正解錠することができるという不具合がある。【０００４】  そこで、上記のような不正解錠を防止するため、ドアの表面から突出するサムターンのシリンダカラーよりも小径の嵌合凹部を有する取付板部と、前記ドアから離れる方向に突出するように前記取付板部に一体に突設されたカバー部とを有するカバー本体よりなるサムターンカバーが市販されている。
【発明が解決しようとする課題】
【０００５】  かかるサムターンカバーをドアに装着するには、サムターンのシリンダカラーをドアから離れる方向に引っ張ってそのカバーとドアの間に隙間を形成し、この状態でカバー本体の嵌合凹部ないにサムターンを導くようにして、カバー本体の取付板部を前記隙間に差し込むようにすればよい。
このようにしてサムターンカバーをドアに装着すると、そのカバー部がサムターンの外周部分を被覆することになるので、室外側から不正に挿入された部外者の手指がサムターンにアクセスし難くなり、前記した不正解錠を可及的に防止できて錠付きドアの防犯性が向上することになる。
【０００６】  ところで、最近、ドアのサムターンの近傍部分を電動ドリル等の穿孔工具によって穿孔し、その孔から挿入した細い棒状の解錠具でサムターンを回動することによって不正解錠する犯罪が多発している。
この点、上記したサムターンカバーを装着しておけば、穿孔工具で開けた孔から挿入された解錠具によってサムターンにアクセスするのが困難になるので、この点で防犯性が向上すると考えられるが、穿孔工具による穿孔行為そのものを防止することはできないので、前述ような最近の悪質なピッキング犯罪に十分に対応しているとは言い難い。
【０００７】  そこで、本発明の課題は、部外者がサムターンの近傍を穿孔して不正解錠するのを未然に防止できるようにして、錠付きドアの防犯性をよりいっそう向上する点にある。
【課題を解決するための手段】
【０００８】  本発明に係る防犯プレートは、穿孔工具で貫通不能又は困難なプレート材料で構成されており、かつ、ドアにおけるサムターンの近傍部分に貼り付け又は埋め込み可能な大きさに形成されていることを特徴とするものである。
かかる防犯プレートを、錠付きドアにおけるサムターンの近傍部分に貼り付け又は埋め込んでおけば、ドアのサムターンの近傍部分を電動ドリル等の穿孔工具によって穿孔することが不可能又は極めて困難になるので、部外者がサムターンの近傍を穿孔して不正解錠する悪質なピッキング犯罪を未然に防止することができる。
【０００９】  本発明に係る防犯プレートにおいて、サムターンの外周側の全部又は一部を取り囲むことができる大きさの収納凹部を形成するようにすれば、その収納凹部にサムターンを収納させた状態で防犯プレートをドアに貼り付け又は埋め込むことにより、サムターンの周囲近傍に対する穿孔行為を防止することができ、防犯性がより向上する。
【００１０】  一方、本発明に係る防犯器具は、ドアの表面から突出するサムターンのシリンダカラーよりも小径の嵌合凹部を有する取付板部と、前記ドアから離れる方向に突出するように前記取付板部に一体に突設されたカバー部とを有するサムターンカバーと、このサムターンカバーの外周部分に沿って連結可能な連結縁部を有する前記防犯プレートと、を備えていることを特徴とする。
かかる防犯器具によれば、ドアから離れる方向に突出するように取付板部に一体に突設されたカバー部によってサムターンの外周部分が被覆されるので、室外側から不正に挿入された部外者の手指や解除具がサムターンにアクセスし難くなる。このため、前記防犯プレートによる穿孔防止機能に加えて、部外者による不正解錠作業をより確実に防止でき、錠付きドアの防犯性をよりいっそう向上させることができる。
【発明を実施するための最良の形態】
【００１１】  以下、図面に基づいて、本発明の実施の形態を説明する。
図１に示すように、本実施形態の防犯プレート１及びサムターンカバー２が適用される玄関ドア３には本締まり錠４が組み込まれており、かかる本締まり錠４は、ドア３の自由端面から出没するラッチボルト５及びデッドボルト６と、ラッチボルト５を操作するための図示省略のドアノブと、デッドボルト６を施解錠自在に操作するためのサムターン７付きのシリンダ錠とから構成されている。【００１２】  上記サムターン７付きのシリンダ錠は、室外側に露出する鍵穴を有するシリダ錠（図示せず。）をドア３の室外側に装着し、このシリンダ錠と同軸心状に連結されたサムターン７をドア３の室内側に装着することによって構成されている。かかるサムターン７付きのシリンダ錠では、室外側のシリンダ錠の鍵穴に合い鍵を挿入して回動操作すると、デッドボルト６がドア３の自由端面より出没してドア枠側のボルト受けと係脱して施解錠される。【００１３】  他方、室内側からの施解錠に際しては、サムターン７の摘みを回動操作することにより、デッドボルト６を出没させることができる。なお、室外側のシリンダ錠（図示せず。）と室内側のサムターン７は、いずれも円錐台状のシリンダカラー８で被覆されており、このカラー８はドア３の表面に向かって付勢された状態で装着されていて、ドア３から若干引き離してその表面との間で隙間を形成できるようになっている。【００１４】  図１及び図２に示すように、本実施形態のサムターンカバー２は、サムターン７のシリンダカラー８に対してその径方向上側から装着される硬質プラスチック製又は金属製のカバー本体１０と、同シリンダカラー８に対してその径方向下側から装着される同じ硬質プラスチック製又は金属製の規制部材１１とを備えている。このうち、カバー本体１０は、ドア３の表面から突出するサムターン７のシリンダカバー８よりも小径の嵌合凹部１２を有する取付板部１３と、ドア３から離れる方向に突出するように取付板部１３に一体に突設されたカバー部１４とを有している。【００１５】  図３及び図４に示すように、上記取付板部１３は、逆Ｕ字状の嵌合凹部１２が内部に形成されたほぼ馬蹄形状の板材よりなり、この取付板部１３の下方部分にはやや幅狭の開口部分１５が形成されている。これに対して、カバー部１４は、取付板部１３と直交した状態で同取付板部１３の外周縁に一体に連結され、当該カバー部１４の左右両下端部の内面には、ねじ孔１６を有する膨出部１７が形成されている。【００１６】  他方、前記規制部材１１は、取付板部１３の嵌合凹部１２の開口部分１５を閉塞してカバー本体１０がシリンダカラー８の径外方向に抜け出るのを規制するものであり、嵌合凹部１２の開口部分１５に嵌り込む閉塞板部１８と、ドア３から離れる方向に突出するように閉塞板部１８に一体に突設された閉塞カバー部１９と、この閉塞カバー部１９をカバー本体１０のカバー部１４に対して重合状態で連結するための連結部２０とを備えている。【００１７】  図３及び図４に示すように、閉塞板部１８は、嵌合凹部１２の開口部分１５に丁度入り込む幅に形成され、この閉塞板部１８の下部に形成された湾曲縁に、当該閉塞板部１８と直交した状態で閉塞カバー部１９が一体に連結されている。なお、この閉塞カバー部１９は前記カバー本体１０のカバー部１４と同じ幅寸法に形成されている。前記連結部２０は、閉塞カバー部１９の左右両端部に左右方向の段差を有する状態で一体に連結された湾曲板片よりなり、この連結部２０の中央部には、前記カバー部１４のねじ孔１６に対応するねじ孔２１が形成されている。
なお、本実施形態のサムターンカバー２では、図２に示すように、カバー本体１０と規制部材１１とを合体した場合の正面から見た外周形状（カバー部１４と閉塞カバー部１９とを合体させた場合の外周形状）は、ほぼ縦長の楕円形状となっている。【００１８】  図１及び図２に示すように、前記防犯プレート１は、サムターン７の外周側の右半分の部分を取り囲むことができる大きさの収納凹部２３が形成された縦長のプレート部材よりなる。このプレート部材は電動ドリル等の穿孔工具で貫通不能又は困難な材料（例えば、ステンレス鋼材）で構成されており、かつ、ドア３におけるサムターン７の近傍部分に貼り付け可能な大きさに形成されている。
本実施形態の防犯プレート１の外周縁部には、当該プレート１をドア３の表面にねじ止めするための止めねじ（図示せず。）が挿通される複数のねじ挿通孔２４が所定間隔をおいて形成されている。【００１９】  図１〜図４に示すように、カバー本体１０のカバー部１４の外周面には第一フランジ２５が一体に突設されており、この第一フランジ２５は取付板部１３に対して防犯プレート１の厚さ分だけ室内側（図４の右側）にずれた位置に配置されている。一方、規制部材１１の閉塞カバー部１９の外周面には第二フランジ２６が一体に突設されており、この第二フランジ２６は閉塞板部１８に対して防犯プレート１の厚さ分だけ室内側（図４の右側）にずれた位置に配置されている。
また、これらの第一及び第二フランジ２５，２６は、カバー本体１０と規制部材１１とを互いに連結した場合に周方向に連続的に繋がり、正面視でほぼ縦長の楕円帯形状を形成するようになっている（図２参照）。【００２０】  図２に示すように、防犯プレート１の収納凹部２３は、カバー本体１０と規制部材１１とを合体させた場合の外周形状の左右方向半分の部分とほぼ同じ形状及び寸法に形成されており、第一及び第二フランジ２５，２６には防犯プレート１のねじ挿通孔２４と対応するねじ挿通孔２７が形成されている。このため、防犯プレート１の収納凹部２３を形成している連結縁部２８と第一及び第二フランジ２５，２６とを重ね合わせ、このとき互いに合致したねじ挿通孔２４，２７に挿通した止めねじをドア３に螺合させることにより、防犯プレート１の連結縁部２８をサムターンカバー２の外周部分に沿って連結できるようになっている。【００２１】  次に、図１及び図２を参照しつつ、上記構成に係る防犯プレート１及びサムターンカバー２よりなる防犯器具の使用方法と作用を説明する。
すなわち、上記防犯プレート１とサムターンカバー２をドア３に装着するには、まず、サムターン７のシリンダカラー８をドア３から離れる方向に引っ張ってそのカラー８とドア３の間に隙間を形成し、この状態で、図１に矢印Ａで示すように、カバー本体１０の嵌合凹部１２内にサムターン７を導くようにして、同本体１０の取付板部１３を上記隙間に差し込むようにする。【００２２】  次に、図１に矢印Ｂで示すように、嵌合凹部１２の開口部分１５に規制部材１１の閉塞板部１８を下から差し込み、その規制部材１１の両連結部２０をカバー本体１０にそれぞれ重合させ、ねじ孔１６，２１に止めねじを螺合して規制部材１１をカバー本体１０に固定することにより、図２に示すように縦長の楕円形状のサムターンカバー２として一体化される。
その後、図１に矢印Ｃで示すように、防犯プレート１の連結縁部２８をサムターンカバー２の第一及び第二フランジ２５，２６とドア３の間の隙間に差し込み、この状態で、それらのフランジ２５，２６と防犯プレート１に形成された各ねじ挿通孔２４，２７に止めねじを挿通してドア３に螺合させる。【００２３】  これにより、防犯プレート１をサムターンカバー２の右半部に一体化させた状態で両者がドア３に固定され、ドア３に対する装着作業が完了する。
このように、本実施形態の防犯プレート１によれば、錠付きドア３におけるサムターン７の近傍部分に貼り付けることにより、ドア３のサムターン７の近傍部分を電動ドリル等の穿孔工具によって穿孔することが不可能又は極めて困難になるので、部外者がサムターン７の近傍を穿孔して不正解錠する悪質なピッキング犯罪を未然に防止することができる。【００２４】  また、本実施形態のサムターンカバー２によれば、ドア３から離れる方向に突出するように取付板部１３に一体に突設されたカバー部１４によってサムターン７の外周部分が被覆されるので、室外側から不正に挿入された部外者の手指や解除具がサムターン７にアクセスし難くなり、このため、部外者による不正解錠を防止できて錠付きドア３の防犯性をよりいっそう向上させることができる。【００２５】  なお、上記実施形態において、サムターンカバー２を省いて防犯プレート１だけをドア３に装着して、防犯対策を講じるようにすることもできる。また、上記実施形態では防犯プレート１をドア３の室内側面に貼り付けているが、ドア３の製造時において当該防犯プレート１をドア３内に埋め込むようにしてもよい。
更に、防犯プレート１の収納凹部２３は、サムターン７の外周側の全部を取り囲むことができる形状に形成することもできる。【００２６】
【発明の効果】
本発明によれば、部外者がサムターンの近傍を穿孔して不正解錠するのを未然に防止することができるので、錠付きドアの防犯性をよりいっそう向上することができる。
【図面の簡単な説明】
【図１】  玄関ドアのシリンダカラーに防犯プレート及びサムターンカバーを装着する際の斜視図である。
【図２】  防犯プレート及びサムターンカバーの装着状態を示す正面図である。
【図３】  （ａ）はカバー本体の正面図であり、（ｂ）は規制部材の正面図である。
【図４】  （ａ）はカバー本体の側面断面図であり、（ｂ）は規制部材の側面断面図である。
【符号の説明】
１      防犯プレート
２      サムターンカバー
３      玄関ドア
７      サムターン
８      シリンダカラー
１０      カバー本体
１１      規制部材
１２      嵌合凹部
１３      取付板部
１４      カバー部
２３      収納凹部
２８      連結縁部
【図１】
2005042521.tif 000003
【図２】
2005042521.tif 000004
【図３】
2005042521.tif 000005
【図４】
2005042521.tif 000006